(57)【要約】【課題】表示が見やすく、清掃および交換が容易な表示操作部を備え、表示操作部での不必要な電力消費を低減する分析装置の提供を目的とする。【解決手段】装置本体２０と、被測定対象の特性を測定する測定部６０と、測定部６０によって測定された測定値を表示するとともに各種機能に対して操作を行う表示操作部１１０とを備えた分析装置１００において、表示操作部１１０での表示および操作を装置本体２０から離れた状態で可能とし、装置本体２０と表示操作部１１０とを着脱できる遠隔表示着脱手段１２０を備えたことを特徴とする。【選択図】図２
2012083198.tif 000002
【特許請求の範囲】
【請求項１】
装置本体と、被測定対象の特性を測定する測定部と、この測定部によって測定された測定値を表示するとともに各種機能に対して操作を行う表示操作部とを備えた分析装置において、
前記表示操作部での表示および操作を前記装置本体から離れた状態で可能とし、前記装置本体と前記表示操作部とを着脱できる遠隔表示着脱手段、
を備えたことを特徴とする分析装置。
【請求項２】
前記遠隔表示着脱手段は、前記装置本体と前記表示操作部とを電線を介して接続および分離することができる着脱部を備えたことを特徴とする請求項１に記載の分析装置。
【請求項３】
前記電線は可撓性を有することを特徴とする請求項２に記載の分析装置。
【請求項４】
前記遠隔表示着脱手段は、
前記装置本体側と前記表示操作部との間で無線通信を行う無線通信部と、
前記装置本体と前記表示操作部とを接続および分離することができるコネクターと、
を備えたことを特徴とする請求項１に記載の分析装置。
【請求項５】
前記遠隔表示着脱手段は、前記表示操作部での表示および操作のための信号を、前記コネクターまたは前記無線通信部を用いて伝送する、
ことを特徴とする請求項４に記載の分析装置。
【請求項６】
前記遠隔表示着脱手段は、前記装置本体と前記表示操作部とを接続した場合、前記コネクターを用いて前記信号を伝送し、前記装置本体と前記表示操作部とを分離した場合、前記無線通信部を用いて前記信号を伝送する、
ことを特徴とする請求項５に記載の分析装置。
【請求項７】
前記遠隔表示着脱手段は、前記コネクターの内部に設けた２つの端子の端子間電圧によって判別された前記接続または分離の状態に基づいて、前記コネクターまたは前記無線通信部を用いて前記信号を伝送することを特徴とする請求項６に記載の分析装置。
【請求項８】
前記遠隔表示着脱手段は、前記装置本体と前記表示操作部とを分離した場合、前記２つの端子を短絡する短絡部材を備え、この短絡部材によって短絡された場合、前記無線通信部を用いて前記信号を伝送しないことを特徴とする請求項７に記載の分析装置。
【発明の詳細な説明】
【技術分野】
【０００１】
本発明は、被測定対象の特性を分析する分析装置に関し、特に、表示および操作に関するものである。
【背景技術】
【０００２】
主に屋外で使用される工業計器として、図７に示すような液体分析装置が知られている。図７は、分析装置１０の外観の斜視図である。
【０００３】
図７において、分析装置１０は、装置本体２０（扉２５を含む）、表示操作部３０および検出部４０を備える。
【０００４】
装置本体２０の前面には、分析装置１０を開閉するための扉２５が取付けられ、分析装置１０の内部は、装置本体２０および扉２５によって覆われている。
【０００５】
扉２５の一方の面（表面）には、表示操作部３０が設けられ一体化している。また、被測定対象の特性を検出する検出部４０は、ケーブルを介して分析装置１０の内部に接続される。同様に、分析装置１０に電源を供給するための電源線Ｐが、分析装置１０の内部に接続される。
【０００６】
扉２５は開閉可能であり、開けることによって分析装置１０内部にアクセスでき、閉じることによって分析装置１０内部の防水性を保つことができる。このように、扉２５に設けられた表示操作部３０と装置本体２０とは分離できず、一体化構造になっている。
【０００７】
図８は、扉２５を開けた状態の分析装置１０の斜視図である。図８において、分析装置１０の内部は、受電部５０、測定部６０および制御部７０を備える。
【０００８】
受電部５０は電源線Ｐに接続され、測定部６０はケーブルを介して検出部４０に接続される。制御部７０は、扉２５の他方の面（裏面）に設けられ、表示操作部３０、受電部５０および測定部６０に接続される。
【０００９】
測定部６０は、検出部４０から検出信号を受け取り、この検出信号に所定の演算処理を行い、被測定対象のｐＨ（ペーハー）値などの特性値を測定する。
【００１０】
受電部５０は、電源線Ｐから入力された電源を内部に供給するほか、測定部６０から測定値を受け取り、その大きさに比例した電流信号（例えば、４〜２０ｍＡ）を外部へ出力する。
【００１１】
表示操作部３０は、例えばタッチパネル方式の液晶パネルであり、測定部６０から受け取った測定値を表示するとともに、液晶パネルへ触れる（タッチ）ことにより、装置の設定および表示内容の変更などの各種機能に対して操作を行うことができる。
【００１２】
なお、制御部７０には、例えば、プロセッサおよびメモリ（いずれも図示しない）などが搭載され、プロセッサがメモリに記憶されたプログラムを読み出して実行することによって、表示操作部３０および測定部６０などの各部の動作制御を行う。
【００１３】
なお、特許文献１には、表示部および簡易操作モード機能を備えた分析計について記載されている。
【先行技術文献】
【特許文献】
【００１４】
【特許文献１】特開２００７−２１８７５１号公報
【発明の概要】
【発明が解決しようとする課題】
【００１５】
しかし、上述した分析装置１０には、以下の問題がある。
（１）分析装置１０は、屋外で使用され、被測定対象が充填されたパイプやタンクなどに固定設置されることが多い。上述したように、表示操作部３０と装置本体２０とは一体化構造であるため、表示操作部３０に照射される太陽光の強度や方向によっては、表示が見えづらくなるという問題がある。太陽光は、日中の時間帯や季節によって照射強度や方向が変化するため、一体化構造である以上、この問題を回避することは困難である。
（２）また、分析装置１０は、石油精製工場や化学工場などの屋外に設置された場合、油や埃などで表示操作部３０の液晶パネルが汚れて、測定値などの表示が読み取りづらくなる。タッチパネル方式を採用している場合、汚れた指や手袋で液晶パネルに触れることによって汚れが付着して、さらに読み取りづらくなる。
このように、液晶パネルが汚れた場合、柔らかい湿った布で拭き取り清掃するか、ひどい汚れであれば表示操作部３０を交換する必要がある。しかし、表示操作部３０と装置本体２０とは一体化構造であるため、装置の設置状態によっては拭き取り清掃しづらいく、表示操作部３０の交換は困難である問題がある。
（３）また、分析装置１０の測定出力は、外部のレコーダーなどに連続的に記録されていることが多い。この場合、分析装置１０の設置場所において、表示操作部３０での表示確認や操作は、数ヶ月に一度の定期点検時や装置の設定変更時などの短期間に行われることが多い。このように、殆どの期間では表示確認や操作は行われないため、表示操作部３０は、この期間、不必要な電力を消費しているという問題がある。
【００１６】
本発明は、表示が見やすく、清掃および交換が容易な表示操作部を備え、表示操作部での不必要な電力消費を低減する分析装置の提供を目的とするものである。
【課題を解決するための手段】
【００１７】
このような目的を達成するために、請求項１の発明は、
装置本体と、被測定対象の特性を測定する測定部と、この測定部によって測定された測定値を表示するとともに各種機能に対して操作を行う表示操作部とを備えた分析装置において、
前記表示操作部での表示および操作を前記装置本体から離れた状態で可能とし、前記装置本体と前記表示操作部とを着脱できる遠隔表示着脱手段、
を備えたことを特徴とする。
請求項２の発明は、請求項１に記載の発明において、
前記遠隔表示着脱手段は、前記装置本体と前記表示操作部とを電線を介して接続および分離することができる着脱部を備えたことを特徴とする。
請求項３の発明は、請求項２に記載の発明において、前記電線は可撓性を有することを特徴とする。
請求項４の発明は、請求項１に記載の発明において、
前記遠隔表示着脱手段は、
前記装置本体側と前記表示操作部との間で無線通信を行う無線通信部と、
前記装置本体と前記表示操作部とを接続および分離することができるコネクターと、
を備えたことを特徴とする。
請求項５の発明は、請求項４に記載の発明において、
前記遠隔表示着脱手段は、前記表示操作部での表示および操作のための信号を、前記コネクターまたは前記無線通信部を用いて伝送する、
ことを特徴とする。
請求項６の発明は、請求項５に記載の発明において、
前記遠隔表示着脱手段は、前記装置本体と前記表示操作部とを接続した場合、前記コネクターを用いて前記信号を伝送し、前記装置本体と前記表示操作部とを分離した場合、前記無線通信部を用いて前記信号を伝送する、
ことを特徴とする
請求項７の発明は、請求項６に記載の発明において、
前記遠隔表示着脱手段は、前記コネクターの内部に設けた２つの端子の端子間電圧によって判別された前記接続または分離の状態に基づいて、前記コネクターまたは前記無線通信部を用いて前記信号を伝送することを特徴とする。
請求項８の発明は、請求項７に記載の発明において、
前記遠隔表示着脱手段は、前記装置本体と前記表示操作部とを分離した場合、前記２つの端子を短絡する短絡部材を備え、この短絡部材によって短絡された場合、前記無線通信部を用いて前記信号を伝送しないことを特徴とする。
【発明の効果】
【００１８】
本発明は、表示操作部での表示および操作を装置本体から離れた状態で可能とし、装置本体と表示操作部とを着脱できる遠隔表示着脱手段を備える。このため、離れた状態で表示および操作が可能なので、表示操作部の向きを自在に変えて太陽光の影響を低減することによって、表示が見やすくなり、操作が容易となる。また、表示操作部を分離することで、表示操作部の清掃および交換が容易となる。さらに、表示確認や操作を行う期間では表示操作部を接続し、それ以外の期間では分離することで、不必要な電力の消費を低減することができる。
【図面の簡単な説明】
【００１９】
【図１】本発明を適用した分析装置の外観の斜視図の例である。
【図２】図１の分析装置の表示操作部をケーブルで引き出した状態の斜視図の例である。
【図３】図２の分析装置の表示操作部を分離した状態の斜視図の例である。
【図４】本発明を適用した分析装置の表示操作部を分離した状態の斜視図の他の例である。
【図５】図４の分析装置にコンタクトを取付ける状態を表した斜視図の例である。
【図６】図５のコンタクトの着脱状態を説明する図の例である。
【図７】背景技術で示した分析装置の外観の斜視図の例である。
【図８】図７の分析装置の扉を開けた状態の斜視図の例である。
【発明を実施するための形態】
【００２０】
［第１の実施例］
本実施例を適用した分析装置１００について、図１〜３を用いて説明する。図１は分析装置１００の外観の斜視図、図２は分析装置１００の表示操作部１１０をケーブル１２２ａ、１２２ｂで引き出した状態の斜視図、図３は分析装置１００の表示操作部１１０を分離した状態の斜視図である。
【００２１】
図１〜３において、図７、８と同一のものは同一符号を付し説明を省略する。本実施例の特徴である、表示操作部１１０と装置本体２０（扉１０５を含む）との着脱構造などを中心に説明する。
【００２２】
図１において、表示操作部１１０は、図７の表示操作部３０と異なり、扉１０５と別体となっている。扉１０５は、外形がコの字形状をしており、コの字の切欠き部に表示操作部１１０が嵌め合わされて取り付けられる。なお、扉１０５は、図７の扉２５と同様に、装置本体２０に取り付けられて開閉可能である。
【００２３】
つぎに、図２において、ケーブル（電線）１２２ａ、１２２ｂを用いて、表示操作部１１０を装置本体２０から引き出した状態について説明する。
【００２４】
表示操作部１１０は、コンセント１２１ａ、プラグ１２１ｂおよびケーブル１２２ａ、１２２ｂを介して装置本体２０に接続される。コンセント１２１ａ、プラグ１２１ｂおよびケーブル１２２ａ、１２２ｂによって、遠隔表示着脱手段１２０が構成される。
【００２５】
ケーブル１２２ａの一方は、装置本体２０の内部を通って制御部７０に接続される。ケーブル１２２ａの他方は、コンセント１２１ａに接続される。
【００２６】
コンセント１２１ａに接続（挿入）されたプラグ１２１ｂは、ケーブル１２２ｂの一方に接続され、ケーブル１２２ｂの他方は表示操作部１１０に接続される。
【００２７】
このような遠隔表示着脱手段１２０によって、装置本体２０と別体である表示操作部１１０は、装置本体２０から引き出すことができる。これによって、作業員は、自身の手許に表示操作部１１０を引き寄せて、表示確認および液晶パネルへ触れて設定、変更などの操作を行うことができる。
【００２８】
この状態において、太陽光の照射によって表示操作部１１０の表示が見づらくなっても、作業員は手許で表示操作部１１０の向きを変えることによって、太陽光の影響を低減できるので、表示が見やすくなり、操作が容易となる。また、作業員は手許で操作ができるので、表示操作部１１０での操作がより容易となる。
【００２９】
さらに、ケーブル１２２ａ、１２２ｂが可撓性を有することによって、作業員は、より自在に表示操作部１１０の向きを変えることができる。
【００３０】
つぎに、図３を用いて、コンセント１２１ａおよびプラグ１２１ｂによって、表示操作部１１０と装置本体２０とを分離した状態について説明する。
【００３１】
コンセント１２１ａおよびプラグ１２１ｂによって着脱部が構成される。コンセント１２１ａにプラグ１２１ｂを抜き差しすることができ、これによって、表示操作部１１０と装置本体２０とを接続および分離することができる。
【００３２】
表示操作部１１０を装置本体２０から分離することによって、表示操作部１１０が汚れた場合の清掃、表示操作部１１０が故障した場合の交換を容易に行える。
【００３３】
また、作業員が表示確認や操作を行わない期間では、表示操作部１１０を装置本体２０から取り外しておき、表示確認や操作を行う期間のみ接続することによって、表示操作部１１０で消費される不必要な電力を低減することができる。
【００３４】
着脱部の例として、コンセント１２１ａおよびプラグ１２１ｂを用いて説明した。着脱部はこれに限られず、例えば、防水性のある丸型の雄雌コネクタによって、接続および分離をしてもよい。
【００３５】
なお、分析装置１００が複数台設置されている場合、１台の表示操作部１１０を、必要に応じて各々の分析装置１００に接続し、表示確認や操作を行うことができる。これによって、分析装置１００の台数分の表示操作部１１０を用意する必要は無く、表示操作部１１０の費用を低減できる。
【００３６】
［第２の実施例］
本実施例を適用した分析装置２００について、図４を用いて説明する。図４は分析装置２００の表示操作部２１０を分離した状態の斜視図である。図４において、図３と同一のものは同一符号を付し説明を省略する。
【００３７】
第１の実施例との相違点かつ本実施例の特徴である、表示操作部２１０および装置本体２０（扉１０５を含む）との着脱構造、表示および操作を行うための信号伝送構造などを中心に説明する。
【００３８】
図４において、扉１０５のコの字の切欠き部に雌コネクタ２２３ａが設けられる。装置本体２０には、通信処理部２２１ａおよびアンテナ２２２ａが設けられる。なお、雌コネクタ２２３ａおよび通信処理部２２１ａは、装置本体２０の内部を通って制御部７０に接続される。
【００３９】
表示操作部２１０には、雄コネクタ２２３ｂ、通信処理部２２１ｂおよびアンテナ２２２ｂが設けられる。無線通信部（通信処理部２２１ａ、２２１ｂ、アンテナ２２２ａ、２２２ｂ）およびコネクタ（雌コネクタ２２３ａ、雄コネクタ２２３ｂ）によって、遠隔表示着脱手段２２０が構成される。
【００４０】
まず、表示操作部２１０と装置本体２０との着脱構造について説明する。表示操作部２１０は、扉１０５のコの字の切欠き部に嵌め合わされ、雌コネクタ２２３ａおよび雄コネクタ２２３ｂによって接続される。また、雌コネクタ２２３ａおよび雄コネクタ２２３ｂによって分離することができる。
【００４１】
つぎに、表示操作部２１０で表示および操作を行うため、表示操作部２１０と装置本体２０内部との信号伝送構造について説明する。
【００４２】
信号伝送方式には２つある。一つは、装置本体２０側の通信処理部２２１ａおよびアンテナ２２２ａと、表示操作部２１０側の通信処理部２２１ｂおよびアンテナ２２２ｂとの間で、無線通信で信号伝送を行うモード（以下、「無線モード」という）である。
【００４３】
もう一つは、雌コネクタ２２３ａおよび雄コネクタ２２３ｂを介して、有線通信で信号伝送を行うモード（以下、「固定モード」という）である。
【００４４】
図４に示したように、表示操作部２１０と装置本体２０とを分離した場合、無線モードによって信号伝送を行う。一方、表示操作部２１０が、雌コネクタ２２３ａおよび雄コネクタ２２３ｂによって、装置本体２０に接続された場合、固定モードによって信号伝送を行う。
【００４５】
無線モードまたは固定モードを用いて信号伝送するかの判別は、雌コネクタ２２３ａ内部に設けられた２つの端子（第１端子、第２端子）の端子間電圧によって判別する。
【００４６】
具体的には、表示操作部２１０と装置本体２０とを分離した場合、端子間電圧は開放された電圧となり、装置本体２０内部の制御部７０は、この電圧を検知して無線モードによる信号伝送の制御を行う。例えば、第１端子が内部電源に抵抗でプルアップされていれば、開放電圧は電源電圧となる。
【００４７】
一方、表示操作部２１０が装置本体２０に接続された場合、端子間電圧は短絡された電圧（例えばゼロボルト）となり、制御部７０は、この電圧を検知して固定モードによる信号伝送の制御を行う。
【００４８】
このような遠隔表示着脱手段２２０によって、第１の実施例と同様に、表示操作部２１０での表示が見やすくなり、操作が容易となり、清掃、交換を容易に行え、表示操作部２１０で消費される不必要な電力を低減でき、表示操作部２１０の費用を低減できる。
【００４９】
つぎに、表示操作部２１０が装置本体２０から取り外されて無線モードになった場合、本装置とは関係の無い、隣接された別の分析装置に対する設定データを誤って受信して、自身に誤設定してしまう恐れがある。このような誤操作を防止する構造について図５、６を用いて説明する。
【００５０】
図５は、図４に示した分析装置２００の雌コネクタ２２３ａにコンタクト（短絡部材）２２４を取付ける状態を表した図である。コンタクト２２４を雌コネクタ２２３ａに取り付けることによって、上記の誤操作を防止することができる。
【００５１】
具体的に図６を用いて説明する。図６は、コンタクト２２４と雌コネクタ２２３ａとの着脱状態を表した図である。
【００５２】
図６（ａ）は、雌コネクタ２２３ａ内部の第１および第２端子２２５、２２６とコンタクト２２４とを接続することによって、両端子間を短絡する。
【００５３】
この場合、端子間電圧は短絡された電圧となり、制御部７０は、この電圧を検知して無線モードではなく、固定モードによる制御を行うので、上述したような無線による設定データの誤受信を防止し、誤操作を防止できる。
【００５４】
一方、本装置に無線モードによってデータを設定したい場合、図６（ｂ）のように、コンタクト２２４を取り外せばよい。これによって、端子間電圧は開放電圧となり、制御部７０は、この電圧を検知して無線モードによる制御を行うので、自身にデータ設定を行うことができる。
【００５５】
なお、このデータ設定完了後、図６（ａ）のようにコンタクト２２４を戻して取り付けることで、上述したような誤操作を防止できる。
【００５６】
本発明は、ｐＨ計の他、ガスクロマトグラフ分析計などの分析装置に用いることができる。
【００５７】
なお、本発明は、前述の実施例に限定されることなく、その本質を逸脱しない範囲で、さらに多くの変更および変形を含む。
【符号の説明】
【００５８】
２０  装置本体
５０  受電部
６０  測定部
７０  制御部
１００  分析装置
１１０  表示操作部
１２０  遠隔表示着脱手段
１２１ａ  コンセント（着脱部）
１２１ｂ  プラグ（着脱部）
１２２ａ、１２２ｂ  ケーブル（電線）
２００  分析装置
２１０  表示操作部
２２０  遠隔表示着脱手段
２２１ａ、２２１ｂ  通信処理部（無線通信部）
２２２ａ、２２２ｂ  アンテナ（無線通信部）
２２３ａ  雌コネクタ（コネクタ）
２２３ｂ  雄コネクタ（コネクタ）
２２４  コンタクト（短絡部材）
【図１】
2012083198.tif 000003
【図２】
2012083198.tif 000004
【図３】
2012083198.tif 000005
【図４】
2012083198.tif 000006
【図５】
2012083198.tif 000007
【図６】
2012083198.tif 000008
【図７】
2012083198.tif 000009
【図８】
2012083198.tif 000010